(57)【要約】【課題】加入者側装置と端末装置との接続状態を好適に監視する。【解決手段】通信システムは、局側装置に接続されたＯＮＵ１３と、ＯＮＵ１３に接続されたＨＵＢ１４と、ＨＵＢ１４の配下に接続されたＰＣ１５やＶｏＩＰ−ＴＡ１６等の端末装置とを備える。ＯＮＵ１３は、端末装置に対して定期的にＰＩＮＧを送信するＰＩＮＧ送信部２８と、端末装置からＰＩＮＧ応答が無い場合に、該端末装置のリンクダウンを検出する接続状態検出部３０とを備える。【選択図】図２
2014236457.tif 000002
【特許請求の範囲】
【請求項１】
局側装置に接続された加入者側装置と、
前記加入者側装置に接続された中継装置と、
前記中継装置の配下に接続された端末装置と、
を備える通信システムであって、
前記加入者側装置は、
前記端末装置に対して定期的にＰＩＮＧを送信するＰＩＮＧ送信部と、
前記端末装置からＰＩＮＧ応答が無い場合に、前記端末装置のリンクダウンを検出する接続状態検出部と、
を備えることを特徴とする通信システム。
【請求項２】
前記加入者側装置は、前記中継装置配下の端末装置のＭＡＣアドレスを登録するＭＡＣアドレス学習テーブルをさらに備え、
前記ＰＩＮＧ送信部は、前記ＭＡＣアドレス学習テーブルに登録されたＭＡＣアドレスを基に、前記端末装置にＰＩＮＧを送信することを特徴とする請求項１に記載の通信システム。
【請求項３】
前記接続状態検出部は、前記端末装置からのＰＩＮＧ応答を所定期間受信できない場合に、前記端末装置のリンクダウンを検出することを特徴とする請求項１または２に記載の通信システム。
【請求項４】
中継装置を介して端末装置と接続される加入者側装置であって、
前記端末装置に対して定期的にＰＩＮＧを送信するＰＩＮＧ送信部と、
前記端末装置からＰＩＮＧ応答が無い場合に、前記端末装置のリンクダウンを検出する接続状態検出部と、
を備えることを特徴とする加入者側装置。
【請求項５】
中継装置を介して接続された加入者側装置と端末装置の接続状態監視方法であって、
前記加入者側装置から前記端末装置に対して定期的にＰＩＮＧを送信するステップと、
前記端末装置からＰＩＮＧ応答が無い場合に、前記端末装置のリンクダウンを検出するステップと、
を備えることを特徴とする接続状態監視方法。
【発明の詳細な説明】
【技術分野】
【０００１】
本発明は、局側装置と加入者側装置で構成される通信システムにおいて、中継装置を介して加入者側装置の配下に接続される端末装置の接続状態監視方法に関する。
【背景技術】
【０００２】
従来より、一般家庭等の加入者宅を対象とした加入者系光ファイバネットワークシステムとして、ＰＯＮ（Passive Optical Network）システムが知られている。このＰＯＮシステムは、通信事業者局舎に設置される局側装置（ＯＬＴ（Optical Line Terminal））に接続された１本の光ファイバを光スプリッタにより分岐し、複数の加入者側装置（ＯＮＵ（Optical Network Unit））と接続したものである。ＰＯＮシステムは、局側装置と加入者側装置を１対１で接続するシングルスター型のシステムに比べ、複数の加入者側装置で１本の光ファイバを共用するため低コストな光通信ネットワークを構築できる。
【０００３】
ＰＯＮシステムにおいては、加入者側装置と、加入者側装置の配下に接続される端末（例えば、ＶｏＩＰ−ＴＡ，パーソナルコンピュータ等）との接続状態を、ネットワーク経由で遠隔監視する技術が知られている。例えば特許文献１には、加入者側装置の接続ポートに端末装置が接続されるとリンクアップを局側装置に通知し、接続ポートから端末が取り外されるとリンクダウンを局側装置に通知する加入者側装置が開示されている。
【先行技術文献】
【特許文献】
【０００４】
【特許文献１】特開２０１１−２５９０６３号公報
【発明の概要】
【発明が解決しようとする課題】
【０００５】
しかしながら、特許文献１に開示されるような物理的な接続状態（リンクアップ／リンクダウン）の検出では、加入者側装置とその配下の端末装置との間にＨＵＢ等の中継装置を設けた場合に、加入者側装置は自身と端末装置の接続状態を監視できないおそれがある。これは、加入者側装置は、自身と中継装置との間の接続が切れない限り、物理的なリンクダウンを検出しないためである。
【０００６】
本発明はこうした状況に鑑みてなされたものであり、その目的は、加入者側装置と端末装置との接続状態を好適に監視できる技術を提供することにある。
【課題を解決するための手段】
【０００７】
上記課題を解決するために、本発明のある態様の通信システムは、局側装置に接続された加入者側装置と、加入者側装置に接続された中継装置と、中継装置の配下に接続された端末装置とを備える。加入者側装置は、端末装置に対して定期的にＰＩＮＧを送信するＰＩＮＧ送信部と、端末装置からＰＩＮＧ応答が無い場合に、端末装置のリンクダウンを検出する接続状態検出部とを備える。
【０００８】
加入者側装置は、中継装置配下の端末装置のＭＡＣアドレスを登録するＭＡＣアドレス学習テーブルをさらに備えてもよい。ＰＩＮＧ送信部は、ＭＡＣアドレス学習テーブルに登録されたＭＡＣアドレスを基に、端末装置にＰＩＮＧを送信してもよい。
【０００９】
接続状態検出部は、端末装置からのＰＩＮＧ応答を所定期間受信できない場合に、端末装置のリンクダウンを検出してもよい。
【００１０】
本発明の別の態様は、加入者側装置である。この装置は、中継装置を介して端末装置と接続される加入者側装置であって、端末装置に対して定期的にＰＩＮＧを送信するＰＩＮＧ送信部と、端末装置からＰＩＮＧ応答が無い場合に、端末装置のリンクダウンを検出する接続状態検出部とを備える。
【００１１】
本発明のさらに別の態様は、接続状態監視方法である。この方法は、中継装置を介して接続された加入者側装置と端末装置の接続状態監視方法であって、加入者側装置から端末装置に対して定期的にＰＩＮＧを送信するステップと、端末装置からＰＩＮＧ応答が無い場合に、端末装置のリンクダウンを検出するステップとを備える。
【００１２】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１３】
本発明によれば、加入者側装置と端末装置との接続状態を好適に監視できる技術を提供できる。
【図面の簡単な説明】
【００１４】
【図１】本発明の実施形態に係る通信システムを示す図である。
【図２】本実施形態に係る通信システムにおける接続状態監視機能を説明するための機能ブロック図である。
【図３】本実施形態に係るＯＮＵの接続状態監視処理を示すフローチャートである。
【発明を実施するための形態】
【００１５】
図１は、本発明の実施形態に係る通信システム１０を示す図である。本明細書において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１６】
本実施形態に係る通信システム１０は、ＰＯＮ方式を採用した通信システムである。図１に示すように、通信システム１０は、主信号ネットワーク１８に接続された複数の局側装置（ＯＬＴ）１１を備える。各ＯＬＴ１１に接続された１本の光ファイバは、光スプリッタ１２により複数の光ファイバに分岐され、各光ファイバの端部に加入者側装置（ＯＮＵ）１３が接続されている。
【００１７】
加入者宅内に設置されるＯＮＵ１３には、ＨＵＢ１４が接続されている。ＨＵＢ１４の配下には、パーソナルコンピュータ（ＰＣ）１５およびＶｏＩＰ−ＴＡ１６が接続されている。ＶｏＩＰ−ＴＡ１６には、ＩＰ電話機１７が接続されている。なお、ここではＯＮＵ１３に接続される中継装置の一例としてＨＵＢ１４を例示したが、中継装置はＨＵＢ１４に限定されない。また、ここではＨＵＢ１４に接続される端末装置の一例としてＰＣ１５およびＶｏＩＰ−ＴＡ１６を例示したが、端末装置は後述するようにＯＮＵ１３からのＰＩＮＧ（Packet Internet Groper）に応答できるものであれば特にこれらに限定されず、例えばセットトップボックス（ＳＴＢ）やＬＡＮ対応ハードディスク装置などがＨＵＢ１４に接続されてもよい。
【００１８】
本実施形態に係る通信システム１０は、通信システム１０内の各機器を遠隔監視するための監視装置２０をさらに備える。本実施形態において、監視装置２０は、主信号ネットワーク１８とは別の監視制御ネットワーク１９を介して各ＯＬＴ１１に接続されている。本通信システム１０においては、監視装置２０から各ＯＬＴ１１までの信号伝送は監視制御ネットワーク１９を介したアウトバンド方式で行われ、ＯＬＴ１１からＯＮＵ１３およびＯＮＵ１３配下のＰＣ１５、ＶｏＩＰ−ＴＡ１６への信号伝送は主信号回線を用いたインバンド方式で行われる。
【００１９】
本実施形態に係る通信システム１０において、監視装置２０は、ＯＮＵ１３と、該ＯＮＵ１３配下の端末装置（ＰＣ１５、ＶｏＩＰ−ＴＡ１６等）との接続状態を監視する機能を有する。以下においては、この接続状態監視機能について説明する。
【００２０】
図２は、本実施形態に係る通信システムにおける接続状態監視機能を説明するための機能ブロック図である。
【００２１】
図２に示すように、ＯＮＵ１３は、光送受信部２４と、転送処理部２５と、端末側インタフェース部２６と、ＭＡＣアドレス学習テーブル２７と、ＰＩＮＧ送信部２８と、ＰＩＮＧ受信部２９と、接続状態検出部３０と、接続状態通知部３１とを備える。
【００２２】
光送受信部２４は、ＯＬＴ１１との間で光信号を送受信する。すなわち、光送受信部２４は、ＯＬＴ１１からの光信号を電気信号に変換して転送処理部２５に送るとともに、転送処理部２５からの電気信号を光信号に変換してＯＬＴ１１に送信する。
【００２３】
転送処理部２５は、ＯＬＴ１１および配下の端末装置から受信した信号の転送処理を行う。転送処理を行う際に、転送処理部２５は、ＭＡＣアドレス学習テーブル２７に登録された配下の端末装置のＭＡＣアドレスを参照する。
【００２４】
端末側インタフェース部２６は、端末装置との通信を行うためのインタフェース部であり、接続ポート２６ａを備える。この端末側インタフェース部２６の接続ポート２６ａは、ＨＵＢ１４に接続されている。
【００２５】
ＭＡＣアドレス学習テーブル２７は、ＨＵＢ１４を介して配下に接続される端末装置、すなわちＰＣ１５、ＶｏＩＰ−ＴＡ１６のＭＡＣアドレスを管理する。ＨＵＢ１４に端末装置が接続されると、ＭＡＣアドレス学習テーブル２７に端末装置のＭＡＣアドレスが登録される（動的学習）。あるいは、ネットワークの保守者がコマンドにより端末装置のＭＡＣアドレスをＭＡＣアドレス学習テーブル２７に登録する（静的学習）。
【００２６】
ＰＩＮＧ送信部２８は、ＨＵＢ１４を介して配下に接続される端末装置に対して定期的にＩＣＭＰ(Internet Control Message Protocol)のＰＩＮＧを送信する。ＰＩＮＧの送信間隔は、任意に指定でき、また送信フレーム数も任意に指定できる。ＰＩＮＧ送信部２８によるＰＩＮＧの送信は、ＭＡＣアドレス学習テーブル２７に登録されたＭＡＣアドレスを基に行われる。
【００２７】
通信システム１０の保守者は、各ＯＮＵ１３配下の端末装置の状態監視をするか否か選択する。状態監視する場合は、監視装置２０を介して、ＭＡＣアドレス学習テーブル２７に登録されたどのＭＡＣアドレスに対してＰＩＮＧを送信するかをＰＩＮＧ送信部２８に指定する。このＭＡＣアドレスの指定により、ＰＩＮＧ送信部２８から対象のＭＡＣアドレスに対してＰＩＮＧの送信が開始される。ＭＡＣアドレスの指定は、ＭＡＣアドレス学習テーブル２７に登録された全てのＭＡＣアドレス、あるいは特定のＭＡＣアドレスを選択することができる。また、ＰＩＮＧ送信部２８は、ＭＡＣアドレス学習テーブル２７を使用せずに、任意に設定されたＭＡＣアドレスに対しＰＩＮＧを送信してもよい。
【００２８】
ＰＩＮＧ受信部２９は、ＨＵＢ１４に接続された端末装置からのＰＩＮＧ応答を受信する。ＯＮＵ１３の接続ポート２６ａに到着したＰＩＮＧ応答は、端末側インタフェース部２６から転送処理部２５に送られ、転送処理部２５からＰＩＮＧ受信部２９に転送される。
【００２９】
ＰＩＮＧ受信部２９は、ＰＩＮＧを送信した端末装置からＰＩＮＧ応答があったか否かの情報を、接続状態検出部３０に送る。接続状態検出部３０は、該ＰＩＮＧ応答情報に基づいて、監視対象の端末装置の接続状態を検出する。すなわち、ＰＩＮＧを送信した端末装置からＰＩＮＧ応答があれば、該端末装置はＯＮＵ１３とリンクアップ状態（通信可能状態）であると判定できる。一方、ＰＩＮＧを送信した端末装置からＰＩＮＧ応答がなければ、該端末装置はＯＮＵ１３とリンクダウン状態（通信不能状態）であると判定できる。
【００３０】
ここで、接続状態検出部３０は、ＰＩＮＧを送信した端末装置からＰＩＮＧ応答が無い場合に即にリンクダウンと判定するのではなく、端末装置からのＰＩＮＧ応答を所定期間（「ＰＩＮＧ無応答期間」と呼ぶ）受信できない場合に、該端末装置をリンクダウンと判定することが望ましい。ＰＩＮＧ送信間隔とＰＩＮＧを送信するＭＡＣアドレス数により、１台の端末装置に対するＰＩＮＧ送信周期は変化する。また、ＭＡＣアドレス学習テーブル２７は、あるＭＡＣアドレスから一定時間（Ａｇｉｎｇ  Ｔｉｍｅ）信号がこない場合、該ＭＡＣアドレスをテーブルから削除するが、このＡｇｉｎｇ  Ｔｉｍｅは任意で変更することができる。従って、リンクダウンの判定に使用するＰＩＮＧ無応答期間は、任意に設定可能とすることが好ましい。
【００３１】
接続状態通知部３１は、接続状態検出部３０で検出されたＯＮＵ１３と端末装置との接続状態情報を、端末装置のＭＡＣアドレスとともにＯＬＴ１１に通知する。接続状態通知部３１から送信された接続状態情報は、転送処理部２５、光送受信部２４を介してＯＬＴ１１に送られる。ＯＬＴ１１は監視制御ネットワーク１９を介して監視装置２０に接続状態情報を通知する（図１参照）。監視装置２０は、ＭＡＣアドレスごとに接続状態を管理する。
【００３２】
図２に示すように、ＨＵＢ１４は、第１接続ポート１４ａと、第２接続ポート１４ｂと、第３接続ポート１４ｃとを備える。ＨＵＢ１４は、リピータとして機能するリピータハブであってもよいし、スイッチ機能を有するスイッチングハブであってもよい。
【００３３】
ＰＣ１５は、接続ポート３３ａを有するＯＮＵ側インタフェース部３３と、ＯＮＵ１３からのＰＩＮＧに対して応答するＰＩＮＧ応答部３４とを備える。接続ポート３３ａは、ＨＵＢ１４の第２接続ポート１４ｂに接続されている。また、ＶｏＩＰ−ＴＡ１６は、接続ポート３７ａを有するＯＮＵ側インタフェース部３７と、ＯＮＵ１３からのＰＩＮＧに対して応答するＰＩＮＧ応答部３８とを備える。接続ポート３７ａは、ＨＵＢ１４の第３接続ポート１４ｃに接続されている。
【００３４】
図３は、本実施形態に係るＯＮＵ１３の接続状態監視処理を示すフローチャートである。図３のフローチャートに示す処理は、所定の時間間隔で繰り返し行われる。
【００３５】
まず、ＯＮＵ１３のＰＩＮＧ送信部２８は、ＭＡＣアドレス学習テーブル２７を参照して監視対象の端末装置に対してＰＩＮＧを送信する（Ｓ１０）。
【００３６】
次に、ＰＩＮＧ受信部２９は、端末装置からＰＩＮＧ応答を受信したか否か判定する（Ｓ１２）。ＰＩＮＧ受信部２９でＰＩＮＧ応答を受信した場合（Ｓ１２のＹ）、接続状態検出部３０は、端末装置とＯＮＵとがリンクアップ状態にあると判定し（Ｓ１４）、該リンクアップ情報を端末装置のＭＡＣアドレスとともにＯＬＴに通知する（Ｓ１６）。
【００３７】
一方、ＰＩＮＧ受信部２９でＰＩＮＧ応答を受信しない場合（Ｓ１２のＮ）、接続状態検出部３０は、端末装置とＯＮＵとがリンクダウン状態にあると判定し（Ｓ１８）、該リンクダウン情報を端末装置のＭＡＣアドレスとともにＯＬＴに通知する（Ｓ１６）。
【００３８】
ＯＮＵ１３に端末装置が物理的に接続されているか監視する方法（物理回線を用いた接続状態監視方法と呼ぶ）の場合、ＯＮＵ１３と端末装置との接続を１：１接続とする必要がある。図２に示すように、ＯＮＵ１３と端末装置との間にＨＵＢ１４を挿入し、ＯＮＵ１３と端末装置とを１：Ｎ（Ｎは２以上の整数）で接続する場合、物理回線を用いた接続状態監視方法では、ＯＮＵ１３は、自身とＨＵＢ１４との間のリンクダウンについては検出することができるが、ＨＵＢ１４と端末装置との間のリンクダウンについては検出することができない。
【００３９】
一方、本実施形態に係る通信システム１０においては、ＰＩＮＧを使用してＯＮＵ１３とその配下の端末装置との接続状態を監視している。この監視方法は、論理回線を用いた接続状態監視方法と呼ぶことができる。このような論理回線を用いた接続状態監視方法を用いることにより、ＯＮＵ１３と端末装置の間にＨＵＢ１４が挿入された場合であっても、ＯＮＵ１３は、配下の端末装置のリンクダウンを検出することができる。
【００４０】
論理回線を用いた端末装置の状態監視としては、従来、Ｅｔｈｅｒｎｅｔ（登録商標）  ＯＡＭ（Operations,Administration,Maintenance）を用いるのが一般的であった。しかしながら、ＰＯＮ装置、ＡＤＳＬ装置、ＶＤＳＬ装置などでは、Ｅｔｈｅｒｎｅｔ  ＯＡＭ機能を具備していないことが多い。本実施形態のようなＰＩＮＧを使用した状態監視方法であれば、それらのＥｔｈｅｒｎｅｔ  ＯＡＭ機能を具備していない装置であっても接続状態を監視することができる。
【００４１】
また、物理回線を用いた接続状態監視方法では、ＯＮＵ１３の接続ポートと端末装置の接続ポートが接続されていればリンクダウンとならない。従って、例えばＯＮＵ１３内のＣＰＵ（転送処理部２５、ＰＩＮＧ送信部２８等の機能ブロックを実現する）と接続ポート２６ａとの結線が断となった場合や、端末装置であるＰＣ１５内のＣＰＵと接続ポート３３ａとの結線が断となった場合には、リンクダウンを検出できない。
【００４２】
一方、本実施形態に係る通信システム１０においては、接続ポートとＣＰＵとの結線が断となっていればＰＩＮＧを送信してもＰＩＮＧ応答は無いので、装置内部の結線断による異常を検出できる。
【００４３】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４４】
例えば、上述の実施形態では、監視装置２０とＯＬＴ１１とを監視制御ネットワーク１９を介したアウトバンドで接続したが、主信号ネットワーク１８を介したインバンドで接続してもよい。
【００４５】
また、上述の実施形態では、ＯＮＵ１３と端末装置との間の接続状態の監視にＰＩＮＧを利用したが、ＯＬＴ１１とその上位のスイッチ装置との間の接続状態の監視にＰＩＮＧを用いてもよい。通常、ＯＬＴ１１の上位のスイッチ装置はＥｔｈｅｒｎｅｔ  ＯＡＭ機能を具備しているが、ＯＬＴ１１は具備していない場合がある。従って、ＯＬＴ１１から上位のスイッチ装置に対してＰＩＮＧを送信し、ＰＩＮＧ応答の有無を判定することで、ＯＬＴ１１と上位のスイッチ装置との間の接続状態の監視を行うことができる。
【符号の説明】
【００４６】
１０  通信システム、  １１  ＯＬＴ、  １３  ＯＮＵ、  １４  ＨＵＢ、  １５  ＰＣ、  １６  ＶｏＩＰ−ＴＡ、  １８  主信号ネットワーク、  １９  監視制御ネットワーク、  ２０  監視装置、  ２４  光送受信部、  ２５  転送処理部、  ２６  端末側インタフェース部、  ２７  ＭＡＣアドレス学習テーブル、  ２８  ＰＩＮＧ送信部、  ２９  ＰＩＮＧ受信部、  ３０  接続状態検出部、  ３１  接続状態通知部、  ３３、３７  ＯＮＵ側インタフェース部、  ３４、３８  ＰＩＮＧ応答部。
【図１】
2014236457.tif 000003
【図２】
2014236457.tif 000004
【図３】
2014236457.tif 000005